(57)【要約】  本開示の実施例は、システム情報領域またはネットワーク領域のアクセス方法および装置を提供する。前記アクセス方法において、端末が、システム情報領域またはネットワーク領域から送信される１つまたは複数の初期アクセス信号ＩＡＳを受信することと、前記端末が、受信したＩＡＳ信号に基づいて、システム情報領域またはネットワーク領域のサブフレームの境界、システムの帯域幅、開始周波数および停止周波数のうちの１つまたは複数を取得することとを含む。【選択図】  図１
2019522943.tif 000002
【特許請求の範囲】
【請求項１】
端末が、システム情報領域またはネットワーク領域から送信される１つまたは複数の初期アクセス信号ＩＡＳを受信することと、
前記端末が、受信したＩＡＳ信号に基づいて、システム情報領域またはネットワーク領域のサブフレームの境界、システムの帯域幅、開始周波数および停止周波数のうちの１つまたは複数を取得することとを含むシステム情報領域またはネットワーク領域のアクセス方法。
【請求項２】
前記端末が、受信したＩＡＳ信号に基づいて、システム情報領域またはネットワーク領域のサブフレームの境界、システムの帯域幅、開始周波数および停止周波数のうちの１つまたは複数を取得することは、
前記端末が、サブフレームにおけるＩＡＳ信号の所定の送信位置に基づいて、システム情報領域またはネットワーク領域のサブフレームの境界を取得すること、または、
前記端末が、ＩＡＳ信号とシステムの帯域幅との所定のマッピング関係に基づいて、システム情報領域またはネットワーク領域のシステムの帯域幅、開始周波数および／または停止周波数を取得すること、または、
前記端末が、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することを含む請求項１に記載のアクセス方法。
【請求項３】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項１に記載のアクセス方法。
【請求項４】
時分割多重化、周波数分割多重化および符号分割多重化のうちの１つまたは複数の組み合わせによって、前記複数のＩＡＳ信号を区分する請求項１に記載のアクセス方法。
【請求項５】
前記システム情報領域またはネットワーク領域は、１つまたは複数のサイトからなり、各ＩＡＳ信号は、１つのサイトまたはサイト群から送信される請求項１に記載のアクセス方法。
【請求項６】
システム情報領域またはネットワーク領域で１つまたは複数の初期アクセス信号ＩＡＳを特定することと、
前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することとを含むシステム情報領域またはネットワーク領域のアクセス方法。
【請求項７】
前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することは、
前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、
前記システム情報領域またはネットワーク領域から１つまたは複数のＩＡＳを送信することを含む請求項６に記載のアクセス方法。
【請求項８】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項６に記載のアクセス方法。
【請求項９】
システム情報領域またはネットワーク領域から送信される１つまたは複数の初期アクセス信号ＩＡＳを受信することに用いられる受信モジュールと、
受信したＩＡＳ信号に基づいて、システム情報領域またはネットワーク領域のサブフレームの境界、システムの帯域幅、開始周波数および停止周波数のうちの１つまたは複数を取得することに用いられる取得モジュールとを含むシステム情報領域またはネットワーク領域のアクセス装置。
【請求項１０】
前記取得モジュールは、さらに、
サブフレームにおけるＩＡＳ信号の所定の送信位置に基づいて、システム情報領域またはネットワーク領域のサブフレームの境界を取得すること、または、
ＩＡＳ信号とシステムの帯域幅との所定のマッピング関係に基づいて、システム情報領域またはネットワーク領域のシステムの帯域幅、開始周波数および／または停止周波数を取得すること、または、
ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することに用いられる請求項９に記載のアクセス装置。
【請求項１１】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項９に記載のアクセス装置。
【請求項１２】
１つまたは複数の初期アクセス信号ＩＡＳを特定することに用いられる特定モジュールと、
前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数のＩＡＳを送信することに用いられる送信モジュールとを含むシステム情報領域またはネットワーク領域のアクセス装置。
【請求項１３】
前記送信モジュールは、さらに、
前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、
１つまたは複数のＩＡＳを送信することに用いられる請求項１２に記載のアクセス装置。
【請求項１４】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項１２に記載のアクセス装置。
【請求項１５】
メモリと、
メモリからプログラムを読み取ることによって、システム情報領域またはネットワーク領域から送信される１つまたは複数の初期アクセス信号ＩＡＳを受信するプロセスと、受信したＩＡＳ信号に基づいて、システム情報領域またはネットワーク領域のサブフレームの境界、システムの帯域幅、開始周波数および停止周波数のうちの１つまたは複数を取得するプロセスを実行することに用いられるプロセッサと、
データの送受信に用いられるトランシーバとを含むシステム情報領域またはネットワーク領域のアクセス装置。
【請求項１６】
メモリと、
メモリからプログラムを読み取ることによって、１つまたは複数の初期アクセス信号ＩＡＳを特定するプロセスと、ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数の前記ＩＡＳを送信するプロセスを実行することに用いられるプロセッサと、
データの送受信に用いられるトランシーバとを含むシステム情報領域またはネットワーク領域のアクセス装置。
【発明の詳細な説明】
【技術分野】
【０００１】
本願は、２０１６年７月１５日に中国特許庁に提出された中国特許出願２０１６１０５６１７７４．０の優先権を主張し、その全ての内容が援用によりここに取り込まれる。
本開示は、通信技術分野に係り、特にシステム情報領域またはネットワーク領域のアクセス方法および装置に係る。
【背景技術】
【０００２】
１つの無線通信システムにおいて、１つまたは複数のサイト（例えば基地局Ｎｏｄｅ）とユーザ機器（ＵＥ）を含んでダウンリンク伝送とアップリンク受信を行う。ＵＥは、スタートした後にネットワークにアクセスするには、少なくとも１つのサイトを見つけ出して当該サイトからアクセスしなければならない。１つのネットワークに複数のサイトが含まれると、ＵＥは、複数のサイトのうちいずれか１つからアクセスすることができる。例えば、セルラーネットワークにおいて、各サイトが１つのセル（ｃｅｌｌ）として配置され、各セルから独立な信号が送信される。ＵＥが異なるセルの信号を検出して１つのセルを選択してネットワークにアクセスする過程は、初期アクセスと称される。
【０００３】
ＬＴＥシステムにおいて、ＰＳＳ（ｐｒｉｍａｒｙ  ｓｙｎｃｈｒｏｎｉｚａｔｉｏｎ  ｓｉｇｎａｌ）／ＳＳＳ（ｓｅｃｏｎｄａｒｙ  ｓｙｎｃｈｒｏｎｉｚａｔｉｏｎ  ｓｉｇｎａｌ）の帯域幅が６ＰＲＢ（Ｐｈｙｓｉｃａｌ  ｒｅｓｏｕｒｃｅ  ｂｌｏｃｋ）、すなわち９００ＫＨｚであり、各セルの帯域中心での送信が制限される。各セルから１つのＰＳＳ／ＳＳＳが送信されるが、当該信号は、システム情報領域またはネットワーク領域内の全てのユーザに受信される必要がある。１つのセルの帯域幅は、１．４ＭＨｚ、５ＭＨｚ、１０ＭＨｚ、１５ＭＨｚ、２０ＭＨｚなど複数の可能性がある。ＵＥは、スタートしてセルへのアクセスを行う前に、セルの帯域もセルの周波数領域の中心位置も分からない。ＵＥは、１００ＫＨｚの精度で、全てのありうるセル中心周波数を検索する。ＵＥは、１つのＰＳＳ／ＳＳＳを検出すると、セルの中心周波数の検出に成功し、それからセルの基本情報（ｍａｓｔｅｒ  ｉｎｆｏｒｍａｔｉｏｎ  ｂｌｏｃｋ）を復調し、セルのシステム帯域幅の情報を付帯し、セル周波数の開始／停止位置を得る。
【０００４】
従来のシステムでは、主に低周波段で配置され、サイト側のアンテナ数が比較的少ない。将来のシステムでは、０．４ＧＨｚ〜１００ＧＨｚの広い帯域幅で配置され、低周波段と高周波段のチャネル性能の差が大きく、高周波帯のパスロス（ｐａｔｈｌｏｓｓ）が低周波段より高く、セルのカバレッジが急速に減少し、充分なネットワークカバレッジを保証するには、新規の同期および初期アクセス信号の設計が必要となる。また、将来のシステムのアンテナ数は、数百や数千まで急速に増加する。大量のアンテナがフォーミング技術を使用して狭いフォーミングビームを生成する。ビームゲインによってビームカバレッジを向上させるが、ビームが狭くなるため、各ビームによってカバーできる角度が小さくなる。セルでは、フルセルのカバレッジに達するには、複数のビームを異なる方向に指向させる必要がある。
【０００５】
したがって、従来の設計は、将来のシステムのニーズを満たすことができない。将来のシステムの同期および初期アクセス信号の設計において、これらの配置の影響を考慮する必要がある。
【発明の概要】
【発明が解決しようとする課題】
【０００６】
上述した技術課題に鑑み、本開示の実施例は、従来の設計で将来のシステムのニーズを満たすことができない問題を解決するために、システム情報領域またはネットワーク領域のアクセス方法および装置を提供する。
【課題を解決するための手段】
【０００７】
第１態様として、システム情報領域またはネットワーク領域のアクセス方法を提供する。前記アクセス方法は、端末が、システム情報領域またはネットワーク領域から送信される１つまたは複数の初期アクセス信号ＩＡＳを受信することと、前記端末が、受信したＩＡＳ信号に基づいて、システム情報領域またはネットワーク領域のサブフレームの境界、システムの帯域幅、開始周波数および停止周波数のうちの１つまたは複数を取得することとを含む。
【０００８】
選択可能に、前記端末が、受信したＩＡＳ信号に基づいて、システム情報領域またはネットワーク領域のサブフレームの境界、システムの帯域幅、開始周波数および停止周波数のうちの１つまたは複数を取得することは、前記端末が、サブフレームにおけるＩＡＳ信号の所定の送信位置に基づいて、システム情報領域またはネットワーク領域のサブフレームの境界を取得すること、または、前記端末が、ＩＡＳ信号とシステムの帯域幅との所定のマッピング関係に基づいて、システム情報領域またはネットワーク領域のシステムの帯域幅、開始周波数および／または停止周波数を取得すること、または、前記端末が、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することを含む。
【０００９】
選択可能に、前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる。
【００１０】
選択可能に、時分割多重化、周波数分割多重化および符号分割多重化のうちの１つまたは複数の組み合わせによって、前記複数のＩＡＳ信号を区分する。
【００１１】
選択可能に、前記システム情報領域またはネットワーク領域は、１つまたは複数のサイトからなり、各ＩＡＳ信号は、１つのサイトまたはサイト群から送信される。
【００１２】
第２態様として、システム情報領域またはネットワーク領域のアクセス方法を提供する。前記アクセス方法は、システム情報領域またはネットワーク領域で１つまたは複数の初期アクセス信号ＩＡＳを特定することと、前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することとを含む。
【００１３】
選択可能に、前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することは、前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、前記システム情報領域またはネットワーク領域から１つまたは複数のＩＡＳを送信することを含む。
【００１４】
選択可能に、前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる。
【００１５】
第３態様として、システム情報領域またはネットワーク領域のアクセス装置を提供する。前記アクセス装置は、システム情報領域またはネットワーク領域から送信される１つまたは複数の初期アクセス信号ＩＡＳを受信することに用いられる受信モジュールと、受信したＩＡＳ信号に基づいて、システム情報領域またはネットワーク領域のサブフレームの境界、システムの帯域幅、開始周波数および停止周波数のうちの１つまたは複数を取得することに用いられる取得モジュールとを含む。
【００１６】
選択可能に、前記取得モジュールは、さらに、サブフレームにおけるＩＡＳ信号の所定の送信位置に基づいて、システム情報領域またはネットワーク領域のサブフレームの境界を取得すること、または、ＩＡＳ信号とシステムの帯域幅との所定のマッピング関係に基づいて、システム情報領域またはネットワーク領域のシステムの帯域幅、開始周波数および／または停止周波数を取得すること、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することに用いられる。
【００１７】
選択可能に、前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる。
【００１８】
第４態様として、システム情報領域またはネットワーク領域のアクセス装置を提供する。前記アクセス装置は、１つまたは複数の初期アクセス信号ＩＡＳを特定することに用いられる特定モジュールと、前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数のＩＡＳを送信することに用いられる送信モジュールとを含む。
【００１９】
選択可能に、前記送信モジュールは、さらに、前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、１つまたは複数のＩＡＳを送信することに用いられる。
【００２０】
選択可能に、前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる。
【発明の効果】
【００２１】
上記技術手段の一つは、以下の利点または有益な効果を有する。１つまたは複数のＩＡＳ信号（例えばセルの同期、時間領域／周波数領域の同期、セルシステム情報受信などの機能を有する）によってシステムの帯域幅および／またはサブフレームの境界を取得することができる。よって、システムアクセスの柔軟性と容量を向上させ、将来のマルチアンテナシステムのニーズを満たす。
【図面の簡単な説明】
【００２２】
【図１】本開示の一部実施例におけるシステム情報領域またはネットワーク領域のアクセス方法のフローチャートである。
【図２】通信システムを示す概略図である。
【図３】本開示の一部実施例におけるシステム情報領域またはネットワーク領域のアクセス方法のフローチャートである。
【図４】本開示の一部実施例における複数のＩＡＳ信号のＴＤＭ送信を示す概略図である。
【図５】本開示の一部実施例におけるＩＡＳ信号とシステム信号の関係図である。
【図６】本開示の一部実施例における複数のＩＡＳ信号のＦＤＭ送信を示す概略図である。
【図７】本開示の一部実施例におけるＩＡＳ信号とシステム信号の関係図である。
【図８】本開示の一部実施例における複数のＩＡＳ信号のＦＤＭ送信を示す概略図である。
【図９】本開示の一部実施例におけるシステム情報領域またはネットワーク領域のアクセス装置のブロック図である。
【図１０】本開示の一部実施例におけるシステム情報領域またはネットワーク領域のアクセス装置のブロック図である。
【図１１】本開示の一部実施例におけるシステム情報領域またはネットワーク領域のアクセス装置のブロック図である。
【図１２】本開示の一部実施例におけるシステム情報領域またはネットワーク領域のアクセス装置のブロック図である。
【発明を実施するための形態】
【００２３】
以下、図面を参照して本開示の例示的な実施例をさらに詳細に記載する。図面では本開示の例示的な実施例が示されているが、本開示は、様々な形式で実現でき、ここで記載されている実施例に限定されないと理解すべきである。逆に、これらの実施例を提供することは、本開示をより徹底的に理解してもらうためであり、本開示の範囲を当業者に完全に伝えるためである。
【００２４】
当業者は、本開示の実施形態がシステム、装置、機器、方法またはコンピュータプログラムプロダクトとして実現されうると理解できる。したがって、本開示の実施例は、具体的に完全にハードウェアの形式、完全にソフトウェア（ファームウェア、常駐ソフトウェア、マイクロコードなどを含む。）の形式、またはハードウェアとソフトウェアを組み合わせた形式で実現されうる。
【００２５】
本開示の実施形態に基づいて、システム情報領域またはネットワーク領域のアクセス方法および装置を提案する。端末は、システム情報領域またはネットワーク領域から送信される１つまたは複数の初期アクセス信号ＩＡＳを受信する。前記端末は、サブフレームにおけるＩＡＳ信号の所定の送信位置に基づいて、システム情報領域またはネットワーク領域のサブフレームの境界を取得する。または、前記端末は、ＩＡＳ信号とシステムの帯域幅との所定のマッピング関係に基づいて、システム情報領域またはネットワーク領域のシステムの帯域幅、開始周波数および／または停止周波数を取得する。または、前記端末は、ＩＡＳ信号と、他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【００２６】
本開示の実施形態において、初期アクセス信号は、ＩＡＳ（ｉｎｉｔｉａｌ  ａｃｃｅｓｓ  ｓｉｇｎａｌ）と称される。なお、ＩＡＳは、ＵＥがネットワークにアクセスする工程で必要とされる信号の和を指すことに用いられる広義の名称であり、１つの信号を含んでもよく、複数の信号を含んでもよい。ＩＡＳ信号は、システム情報領域またはネットワーク領域の同期、時間領域／周波数領域の同期、システム情報領域またはネットワーク領域のシステム情報受信など、１つまたは複数の機能の実現に用いられる。もちろん、本開示の実施形態において、ＩＡＳ信号は、以上列挙した機能に限定されず、ある具体的な信号を含むことにも限られない。
【００２７】
本開示の実施形態において、ＩＡＳ信号の機能は、時間／周波数領域の同期信号をＵＥに提供することを含む。ＬＴＥシステムでＵＥに提供する時間／周波数領域の同期信号は、同期信号（ＳＹＮＣ）と称され、ＰＳＳとＳＳＳの両部分を含む。時間領域の同期は、ｓｕｂｆｒａｍｅ（サブフレーム）レベル（１ｍｓ）の同期に達することができる。各システム情報領域またはネットワーク領域（またはサイト）からそれぞれのＰＳＳ／ＳＳＳが送信される。各システム情報領域またはネットワーク領域のＰＳＳ／ＳＳＳのｂａｓｅ  ｓｅｑｕｅｎｃｅ（ベースシーケンス）と、当該システム情報領域またはネットワーク領域のシステム情報領域またはネットワーク領域ＩＤ（例えばｃｅｌｌＩＤ）とは、一対一の対応関係が存在する。ＵＥは、１つのシステム情報領域またはネットワーク領域のＰＳＳ／ＳＳＳを検出すると、対応的に当該システム情報領域またはネットワーク領域ＩＤ（例えばｃｅｌｌＩＤ）を取得する。ＵＥは、異なるシステム情報領域またはネットワーク領域のＰＳＳ／ＳＳＳを検出し、それから最も強いアクセス信号のシステム情報領域またはネットワーク領域を選択する。
【００２８】
一部実施例において、図１に示すシステム情報領域またはネットワーク領域のアクセス方法は、具体的に以下のステップを含む。
【００２９】
ステップ１０１において、端末は、システム情報領域またはネットワーク領域から送信される１つまたは複数の初期アクセス信号ＩＡＳを受信する。
【００３０】
選択可能に、システム情報領域またはネットワーク領域は、１つまたは複数のサイトからなり、各ＩＡＳ信号は、１つのサイトまたはサイト群から送信される。上記システム情報領域またはネットワーク領域に対応する一例がセル（ｃｅｌｌ）であり、上記サイトの一例が基地局である。具体的に、ステップ１０１において、端末は、セルからダウンリンクで送信される１つまたは複数のＩＡＳ信号を受信する。
【００３１】
上記ＩＡＳ信号は、ＵＥからネットワークへのアクセスに必要とされる信号の和を示すことに用いられ、１つの信号を含んでもよく、複数の信号を含んでもよい。ＩＡＳ信号は、セルの同期、時間領域／周波数領域の同期、セルのシステム情報受信など、１つまたは複数の機能の実現に用いられる。なお、本実施例において、ＩＡＳ信号に有する具体的な機能や、ＩＡＳ信号に含まれる具体的な信号を具体的に限定しない。
【００３２】
選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【００３３】
選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【００３４】
本実施例において、時分割多重化（ＴＤＭ）、周波数分割多重化（ＦＤＭ）および符号分割多重化（ＣＤＭ）のうちの１つまたは複数の組み合わせによって、複数のＩＡＳ信号を区分するが、これに限られない。
【００３５】
なお、本実施例において、１つのシステム情報領域またはネットワーク領域から送信されるＩＡＳ信号の数は、システム情報領域またはネットワーク領域毎に異なってもよく、１つのシステム情報領域またはネットワーク領域の異なるタイミングで異なってもよいが、具体的に送信されるＩＡＳ信号の数は、システム情報領域またはネットワーク領域によって決められる。ＩＡＳ信号の数の決定条件は、ネットワーク自身によって実現されるアルゴリズムである。例えばネットワークのビームフォーミングのビーム数に基づいて、ビーム数と一致する数のＩＡＳ信号の送信を決定する。または、セル内のＴＲＰ数に基づいて、ＴＲＰ毎に１つのＩＡＳ信号が対応すると決定する。
【００３６】
ステップ１０２において、前記端末は、受信したＩＡＳ信号に基づいて、システム情報領域またはネットワーク領域のサブフレームの境界、システムの帯域幅、開始周波数および停止周波数のうちの１つまたは複数を取得する。
【００３７】
具体的に、端末は、サブフレームにおけるＩＡＳ信号の所定の送信位置に基づいて、システム情報領域またはネットワーク領域のサブフレームの境界を取得する。または、端末は、ＩＡＳ信号とシステムの帯域幅との所定のマッピング関係に基づいて、システム情報領域またはネットワーク領域のシステムの帯域幅、開始周波数および／または停止周波数を取得する。または、端末は、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【００３８】
例えば、ユーザは、ダウンリンクで１つまたは複数のＩＡＳ信号を受信する。あるＩＡＳ信号を検出すると、当該信号のシーケンスに基づいて、何番目のＩＡＳ信号であるかを特定する。それからサブフレームにおける当該ＩＡＳ信号の所定の送信位置に基づいて、サブフレームの境界を特定する。例えば、システムでは、ｎ個のＩＡＳ信号の送信時間が図４に示すとおりであると取り決められる。ユーザが３番目のＩＡＳ信号を検出すると、その前方へ２つの符号がサブフレームの境界である。
【００３９】
また、例えば、システムでは、ＩＡＳシーケンスと、システムの帯域幅およびその開始／停止周波数とのマッピング関係が予め定義される。端末は、上記マッピング関係に基づいて、システム情報領域またはネットワーク領域のシステムの帯域幅、開始周波数および／または停止周波数を取得する。
【００４０】
また、例えば、端末は、他のシステム信号を検出することによって、システム情報領域またはネットワーク領域のシステムの帯域幅、開始周波数および／または停止周波数を取得する。上記他のシステム信号は、システム情報Ｓｙｓｔｅｍ  Ｉｎｆｏｒｍａｔｉｏｎであってもよい。当該信号は、セルのシステム帯域幅およびその開始／停止周波数情報を含んでもよい。
【００４１】
後に、端末は、システム情報領域またはネットワーク領域のサブフレームの境界、システムの帯域幅、開始周波数および停止周波数のうちの１つまたは複数に基づいて、アクセスフローの処理を行う。後続のアクセス過程は、従来技術であり、ここでは繰り返して記載しない。
【００４２】
図２には、第１実施例に適用しうるシステムを示す。以下の実施例において、セルを例として記載する。セルの概念は、システム情報領域、ネットワーク領域などに置き換えてもよく、１つの無線ネットワークによって広域のカバレッジを提供する。無線ネットワークで複数のセルをカバーし、各セルでそれぞれ異なる範囲をカバーする。１つのセルは、１つの無線ネットワーク対象に定義され、ネットワークへのアクセスに用いられ、各セルに唯一に対応付けられるセルＩＤがセル内でブロードキャストされる。１つのセルは、１つまたは複数のＴＲＰ（Ｔｒａｎｓｍｉｔ  ｏｒ  Ｒｅｃｅｉｖｅ  Ｐｏｉｎｔ）を含み、各ＴＲＰにＮ（Ｎ≧１）個のアンテナを含む。ＴＲＰでのアンテナは、ビームフォーミングを行うことができ、ダウンリンク信号がビームフォーミングの後にアンテナから送信される。各ビームによって広いカバレッジを提供するか狭いカバレッジを提供するかは、アンテナ数とビームフォーミング方式によって決められる。
【００４３】
本実施例において、上記ステップ１０１とステップ１０２を実行することによって、複数のＩＡＳ信号（例えばセルの同期、時間領域／周波数領域の同期、セルのシステム情報受信などの機能を有する）によってシステムの帯域幅および／またはサブフレームの境界を取得することができる。よって、システムアクセスの柔軟性と容量を向上させ、将来のマルチアンテナシステムのニーズを満たす。
【００４４】
一部実施例において、図３に示すシステム情報領域またはネットワーク領域のアクセス方法の実行主体は、システム情報領域またはネットワーク領域での機器であってもよく、具体的に下記のステップを含む。
【００４５】
ステップ３０１において、システム情報領域またはネットワーク領域で１つまたは複数の初期アクセス信号ＩＡＳを特定して、ステップ３０２へ進む。
【００４６】
選択可能に、システム情報領域またはネットワーク領域は、１つまたは複数のサイトからなり、各ＩＡＳ信号は、１つのサイトまたはサイト群から送信される。上記システム情報領域またはネットワーク領域に対応する一例がセル（ｃｅｌｌ）であり、上記サイトの一例が基地局である。具体的に、ステップ１０１において、端末は、セルからダウンリンクで送信される１つまたは複数のＩＡＳ信号を受信する。
【００４７】
上記ＩＡＳは、ＵＥからネットワークへのアクセスに必要とされる信号の和を示すことに用いられ、１つの信号を含んでもよく、複数の信号を含んでもよい。ＩＡＳ信号は、セルの同期、時間領域／周波数領域の同期、セルのシステム情報受信など、１つまたは複数の機能の実現に用いられる。なお、本実施例において、ＩＡＳ信号に有する具体的な機能や、ＩＡＳ信号に含まれる具体的な信号を具体的に限定しない。
【００４８】
本実施例において、選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【００４９】
本実施例において、選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【００５０】
さらに、時分割多重化、周波数分割多重化および符号分割多重化のうちの１つまたは複数の組み合わせによって、複数のＩＡＳ信号を区分する。
【００５１】
ステップ３０２において、前記システム情報領域またはネットワーク領域から１つまたは複数のＩＡＳを送信する。よって、前記ＩＡＳ信号を受信した端末は、受信したＩＡＳ信号に基づいて、システム情報領域またはネットワーク領域のサブフレームの境界、システムの帯域幅、開始周波数および停止周波数のうちの１つまたは複数を取得する。
【００５２】
具体的に、システム情報領域またはネットワーク領域から１つまたは複数のＩＡＳを送信する。よって、前記ＩＡＳ信号を受信した端末は、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【００５３】
本実施例において、上記ステップ２０１とステップ２０２を実行することによって、複数のＩＡＳ信号（例えばセルの同期、時間領域／周波数領域の同期、セルのシステム情報受信などの機能を有する）によってシステムの帯域幅および／またはサブフレームの境界を取得することができる。よって、システムアクセスの柔軟性と容量を向上させ、将来のマルチアンテナシステムのニーズを満たす。
【００５４】
以下の実施例において、セルを例として記載するが、セルの概念をシステム情報領域、ネットワーク領域に置き換えることができるものの、本実施例の実施に影響を与えない。
【００５５】
本実施例において、具体的に下記のフローによってシステムの帯域幅の取得とサブフレームの境界の特定を行う。
【００５６】
ステップＡにおいて、セルからダウンリンクで複数のＩＡＳ信号を送信する。異なる信号は、ＴＤＭ方式で異なる時間で送信される。異なる信号に異なるベースシーケンスが用いられ、または同一のベースシーケンスが用いられ、しかも異なるスクランブリングコードでスクランブリングを行う。以下、異なる信号に異なるスクランブリングコードが用いられるとする。また、異なる信号は、セルの帯域幅内の同一の周波数位置から送信される。
【００５７】
ステップＢにおいて、ユーザは、ダウンリンクで１つまたは複数のＩＡＳ信号を受信する。あるＩＡＳ信号を検出すると、当該信号のシーケンスに基づいて、何番目のＩＡＳ信号であるかを特定する。それからサブフレームにおける当該ＩＡＳ信号の所定の送信位置に基づいて、サブフレームの境界を特定する。例えば、システムでは、ｎ個のＩＡＳ信号の送信時間が図４に示すとおりであると取り決められる。ユーザが３番目のＩＡＳ信号を検出すると、その前方へ２つの符号がサブフレームの境界である。
【００５８】
ステップＣにおいて、ユーザは、所定のセルアクセスルールに従い、セルにアクセスするか否かを判定する。１つのアクセスルールとして、あるＩＡＳ信号がユーザによって成功検出され、かつ当該信号の強度がセルにアクセスする性能要求を充分に満たす場合、セルへのアクセスが成功する。
【００５９】
ステップＤにおいて、ユーザは、セルへのアクセスが成功すると、セルの帯域幅および開始／停止周波数を取得する必要がある。
【００６０】
具体的に、１つの実現方式として、システムでは、ＩＡＳシーケンスと、システムの帯域幅およびその開始／停止周波数とのマッピング関係が予め定義される。ユーザは、セルアクセス時に検出したＩＡＳ信号の属性に基づいて、マッピング関係を検索してシステムの帯域幅およびその開始／停止周波数情報を取得する。例えば、表１のように、ベースシーケンスとシステムの帯域幅およびその開始／停止周波数とのマッピング関係が予め取り決められる。ＩＡＳ信号のベースシーケンスがＢａｓｅ  ｓｅｑｕｅｎｃｅ２であると検出すると、システムの開始周波数がｆ２，１であり、システムの停止周波数がｆ２，２であり、システムの帯域幅がｆ２，２−ｆ２，１である。
【００６１】
表１：ＩＡＳ信号とシステムの帯域幅とのマッピング関係
ベースシーケンス                開始／停止周波数
Ｂａｓｅ  ｓｅｑｕｅｎｃｅ１    ［ｆ１，１，ｆ１，２］
Ｂａｓｅ  ｓｅｑｕｅｎｃｅ２    ［ｆ２，１，ｆ２，２］
…  …
Ｂａｓｅ  ｓｅｑｕｅｎｃｅＭ    ［ｆＭ，１，ｆＭ，２］
【００６２】
または、表２には、別のマッピング関係が示されている。ｆ０は、ベースシーケンスの中心が位置する周波数を示す。ｆｄは、帯域幅の基本単位（基本帯域幅）を示す。ｍ１，１は、ベースシーケンス１に対応するシステム開始周波数のｆ０からの距離がｍ１，１個の基本帯域幅であることを示す。ｍ１，２は、ベースシーケンス１に対応するシステムの停止周波数のｆ０からの距離がｍ１，２個の基本帯域幅であることを示す。システムの帯域幅は、（ｍ１，１＋ｍ１，２）ｆｄである。他のベースシーケンスは、同様で類推する。これは、Ｂａｓｅ  ｓｅｑｕｅｎｃｅとｍの値のマッピング関係が予め定義されることと等価である。
【００６３】
表２：ＩＡＳ信号とシステムの帯域幅とのマッピング関係
ベースシーケンス                開始／停止周波数
Ｂａｓｅ  ｓｅｑｕｅｎｃｅ１    ［ｆ０−ｍ１，１ｆｄ，ｆ０＋ｍ１，２ｆｄ］
Ｂａｓｅ  ｓｅｑｕｅｎｃｅ２    ［ｆ０−ｍ２，１ｆｄ，ｆ０＋ｍ２，２ｆｄ］
…  …        …
Ｂａｓｅ  ｓｅｑｕｅｎｃｅＭ    ［ｆ０−ｍＭ，１ｆｄ，ｆ０＋ｍＭ，２ｆｄ］
【００６４】
別の実現方式として、ユーザが他のシステム信号を検出することである。１つのシステム信号は、システム情報Ｓｙｓｔｅｍ  Ｉｎｆｏｒｍａｔｉｏｎであってもよい。当該信号は、セルのシステム帯域幅およびその開始／停止周波数情報を含んでもよい。システムでは、当該システム信号とＩＡＳ信号との時間周波数関係が予め定義される。図５は、予め定義されるシステム信号（ＭＩＢと記する）とＩＡＳ信号との時間周波数対応関係を示す。図では、ＭＩＢ１、ＭＩＢ２、…、ＭＩＢｎは、完全同一であってもよい。ユーザは、検出したＩＡＳ信号に基づいて、対応するＭＩＢを見つけ出してシステムの帯域幅情報を取得する。
【００６５】
以下の実施例において、セルを例として記載するが、セルの概念をシステム情報領域、ネットワーク領域に置き換えることができるものの、本実施例の実施に影響を与えない。
【００６６】
本実施例において、具体的に下記のフローによってシステムの帯域幅の取得とサブフレームの境界の特定を行う。
【００６７】
ステップＡにおいて、セルからダウンリンクで複数のＩＡＳ信号を送信する。異なる信号は、ＦＤＭ方式で同一時間で送信される。異なる信号に同一のシーケンスが用いられる。また、異なる信号は、セルの帯域内の任意の異なる周波数位置から送信される。
【００６８】
ステップＢにおいて、ユーザは、ダウンリンクで１つまたは複数のＩＡＳ信号を受信する。あるＩＡＳ信号を検出すると、サブフレームにおける当該ＩＡＳ信号の所定の送信位置に基づいてサブフレームの境界を特定する。例えば、システムでは、ｎ個のＩＡＳ信号の送信時間が図６に示すとおりであると取り決められる。ユーザがあるＩＡＳ信号を検出すると、その前方へ２つの符号がサブフレームの境界である。
【００６９】
ステップＣにおいて、ユーザは、所定のセルアクセスルールに従い、セルにアクセスするか否かを判定する。１つのアクセスルールとして、あるＩＡＳ信号がユーザによって成功検出され、かつ当該信号の強度がセルにアクセスする性能要求を満たす場合、セルへのアクセスが成功する。
【００７０】
ステップＤにおいて、ユーザは、セルに正しくアクセスすると、セルの帯域幅および開始／停止周波数を取得する必要がある。
【００７１】
具体的に、１つの実現方式として、システムでは、ＩＡＳシーケンスと、システムの帯域幅およびその開始／停止周波数とのマッピング関係が予め定義される。ユーザは、セルアクセス時に検出したＩＡＳ信号の属性に基づいて、マッピング関係を検索してシステムの帯域幅およびその開始／停止周波数情報を取得する。例えば、表３のように、シーケンスとシステムの帯域幅およびその開始／停止周波数とのマッピング関係が予め取り決められる。ＩＡＳ信号のシーケンスがＳｅｑｕｅｎｃｅ２であると検出すると、システムの開始周波数がｆ２，１であり、システムの停止周波数がｆ２，２であり、システムの帯域幅がｆ２，２−ｆ２，１である。
【００７２】
表３：ＩＡＳ信号とシステムの帯域幅とのマッピング関係
シーケンス            開始／停止周波数
Ｓｅｑｕｅｎｃｅ１    ［ｆ１，１，ｆ１，２］
Ｓｅｑｕｅｎｃｅ２    ［ｆ２，１，ｆ２，２］
…  …
ＳｅｑｕｅｎｃｅＭ    ［ｆＭ，１，ｆＭ，２］
【００７３】
別の実現方式として、ユーザが他のシステム信号を検出することである。１つのシステム信号は、システム情報Ｓｙｓｔｅｍ  Ｉｎｆｏｒｍａｔｉｏｎであってもよい。当該信号は、セルのシステム帯域幅およびその開始／停止周波数情報を含んでもよい。システムでは、当該システム信号とＩＡＳ信号との時間周波数関係が予め定義される。図７は、予め定義されるシステム信号（ＭＩＢと記する）とＩＡＳ信号との時間周波数対応関係を示す。図では、ＭＩＢ１、ＭＩＢ２、…、ＭＩＢｎは、完全同一であってもよい。ユーザは、検出したＩＡＳ信号に基づいて、その後の２番目の信号の同一の周波数位置で、対応するＭＩＢを復調してシステムの帯域幅情報を取得する。
【００７４】
以下の実施例において、セルを例として記載するが、セルの概念をシステム情報領域、ネットワーク領域に置き換えることができるものの、本実施例の実施に影響を与えない。
【００７５】
本実施例において、具体的に下記のフローによってシステムの帯域幅の取得とサブフレームの境界の特定を行う。
【００７６】
ステップＡにおいて、セルからダウンリンクで複数のＩＡＳ信号を送信する。異なる信号は、ＦＤＭ方式で同一時間で送信される。異なる信号は、同一のベースシーケンスと異なるスクランブリングコードによってスクランブリングを行う。また、異なる信号は、セルの帯域幅内の複数の所定の周波数位置から送信される。
【００７７】
ステップＢにおいて、ユーザは、ダウンリンクで１つまたは複数のＩＡＳ信号を受信する。あるＩＡＳ信号を検出すると、サブフレームにおける当該ＩＡＳ信号の所定の送信位置に基づいてサブフレームの境界を特定する。例えば、システムでは、ｎ個のＩＡＳ信号の送信時間が図８に示すとおりであると取り決められる。ユーザがあるＩＡＳ信号を検出すると、その前方へ２つの符号がサブフレームの境界である。
【００７８】
ステップＣにおいて、ユーザは、所定のセルアクセスルールに従い、セルにアクセスするか否かを判定する。１つのアクセスルールとして、あるＩＡＳ信号がユーザによって成功検出され、かつ当該信号の強度がセルにアクセスする性能要求を充分に満たす場合、セルへのアクセスが成功する。
【００７９】
ステップＤにおいて、ユーザは、セルに正しくアクセスすると、セルの帯域幅および開始／停止周波数を取得する必要がある。
【００８０】
具体的に、１つの実現方式として、システムでは、ＩＡＳシーケンスと、システムの帯域幅およびその開始／停止周波数とのマッピング関係が予め定義される。当該マッピング関係は、周波数領域でＮ番目のＩＡＳ信号の周波数位置とセルの帯域幅との関係を定義する。このように、表４のマッピング関係では、ｆ０は、Ｎ番目ＩＡＳ信号のベースシーケンスの中心が位置する周波数を示す。Ｎ＝１とすると、ユーザは、セルアクセス時に検出したＩＡＳ信号のスクランブリングコードに基づいて、周波数領域で何番目のＮＡＳ信号であるかを特定する。それから所定の周波数位置から１番目のＩＡＳ信号の周波数位置を推定する。例えば所定の１番目のＩＡＳ信号の中心周波数がｆ０であり、２番目のＩＡＳ信号の中心周波数がｆ０＋Δｆであり、３番目のＩＡＳ信号の中心周波数がｆ０＋２Δｆであり、以下同様で類推する。ここで、Δｆは、各ＩＡＳ信号の周波数間隔である。すると、アクセス時のＩＡＳ信号から１番目のＩＡＳ信号の中心周波数が得られる。最後に、表４からセルの帯域幅および開始／停止周波数を特定する。
【００８１】
表４：ＩＡＳ信号とシステムの帯域幅とのマッピング関係
ベースシーケンス                開始／停止周波数
Ｂａｓｅ  ｓｅｑｕｅｎｃｅ１    ［ｆ０−ｍ１，１ｆｄ，ｆ０＋ｍ１，２ｆｄ］
Ｂａｓｅ  ｓｅｑｕｅｎｃｅ２    ［ｆ０−ｍ２，１ｆｄ，ｆ０＋ｍ２，２ｆｄ］
…  …
Ｂａｓｅ  ｓｅｑｕｅｎｃｅＭ    ［ｆ０−ｍＭ，１ｆｄ，ｆ０＋ｍＭ，２ｆｄ］
【００８２】
一部実施例において、図９に示すシステム情報領域またはネットワーク領域のアクセス装置９００は、システム情報領域またはネットワーク領域から送信される１つまたは複数の初期アクセス信号ＩＡＳを受信することに用いられる受信モジュール９０１と、受信したＩＡＳ信号に基づいて、システム情報領域またはネットワーク領域のサブフレームの境界、システムの帯域幅、開始周波数および停止周波数のうちの１つまたは複数を取得することに用いられる取得モジュール９０２とを含む。
【００８３】
選択可能に、取得モジュール９０２は、具体的に、サブフレームにおけるＩＡＳ信号の所定の送信位置に基づいて、システム情報領域またはネットワーク領域のサブフレームの境界を取得すること、または、ＩＡＳ信号とシステムの帯域幅との所定のマッピング関係に基づいて、システム情報領域またはネットワーク領域のシステムの帯域幅、開始周波数および／または停止周波数を取得すること、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することに用いられる。
【００８４】
例えば、ユーザは、ダウンリンクで１つまたは複数のＩＡＳ信号を受信する。あるＩＡＳ信号を検出すると、当該信号のシーケンスに基づいて、何番目のＩＡＳ信号であるかを特定する。それからサブフレームにおける当該ＩＡＳ信号の所定の送信位置に基づいて、サブフレームの境界を特定する。例えば、システムでは、ｎ個のＩＡＳ信号の送信時間が図４に示すとおりであると取り決められる。ユーザが３番目のＩＡＳ信号を検出すると、その前方へ２つの符号がサブフレームの境界である。
【００８５】
また、例えば、システムでは、ＩＡＳシーケンスと、システムの帯域幅およびその開始／停止周波数とのマッピング関係が予め定義される。端末は、上記マッピング関係に基づいて、システム情報領域またはネットワーク領域のシステムの帯域幅、開始周波数および／または停止周波数を取得する。
【００８６】
また、例えば、端末は、他のシステム信号を検出することによって、システム情報領域またはネットワーク領域のシステムの帯域幅、開始周波数および／または停止周波数を取得する。上記他のシステム信号は、システム情報Ｓｙｓｔｅｍ  Ｉｎｆｏｒｍａｔｉｏｎであってもよい。当該信号は、セルのシステム帯域幅およびその開始／停止周波数情報を含んでもよい。
【００８７】
選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【００８８】
選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号の各々は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【００８９】
選択可能に、時分割多重化、周波数分割多重化および符号分割多重化のうちの１つまたは複数の組み合わせによって、複数のＩＡＳ信号を区分する。
【００９０】
選択可能に、前記システム情報領域またはネットワーク領域は、１つまたは複数のサイトからなり、各ＩＡＳ信号は、１つのサイトまたはサイト群から送信される。
【００９１】
本実施例において、複数のＩＡＳ信号（例えばセルの同期、時間領域／周波数領域の同期、セルのシステム情報受信などの機能を有する）によってシステムの帯域幅および／またはサブフレームの境界を取得することができる。よって、システムアクセスの柔軟性と容量を向上させ、将来のマルチアンテナシステムのニーズを満たす。
【００９２】
一部実施例において、図１０に示すシステム情報領域またはネットワーク領域のアクセス装置１０００は、１つまたは複数の初期アクセス信号ＩＡＳを特定することに用いられる特定モジュール１００１と、前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数のＩＡＳを送信することに用いられる送信モジュール１００２とを含む。
【００９３】
送信モジュール１００２は、具体的に、１つまたは複数のＩＡＳを送信することに用いられる。よって、前記ＩＡＳ信号を受信した端末は、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【００９４】
例えば、ユーザは、ダウンリンクで１つまたは複数のＩＡＳ信号を受信する。あるＩＡＳ信号を検出すると、当該信号のシーケンスに基づいて、何番目のＩＡＳ信号であるかを特定する。それからサブフレームにおける当該ＩＡＳ信号の所定の送信位置に基づいて、サブフレームの境界を特定する。例えば、システムでは、ｎ個のＩＡＳ信号の送信時間が図４に示すとおりであると取り決められる。ユーザが３番目のＩＡＳ信号を検出すると、その前方へ２つの符号がサブフレームの境界である。
【００９５】
また、例えば、システムでは、ＩＡＳシーケンスと、システムの帯域幅およびその開始／停止周波数とのマッピング関係が予め定義される。端末は、上記マッピング関係に基づいて、システム情報領域またはネットワーク領域のシステムの帯域幅、開始周波数および／または停止周波数を取得する。
【００９６】
また、例えば、端末は、他のシステム信号を検出することによって、システム情報領域またはネットワーク領域のシステムの帯域幅、開始周波数および／または停止周波数を取得する。上記他のシステム信号は、システム情報Ｓｙｓｔｅｍ  Ｉｎｆｏｒｍａｔｉｏｎであってもよい。当該信号は、セルのシステム帯域幅およびその開始／停止周波数情報を含んでもよい。
【００９７】
選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【００９８】
選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号の各々は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【００９９】
本実施例において、時間分割多重化、周波数分割多重化および符号分割多重化のうちの１つまたは複数の組み合わせによって、複数のＩＡＳ信号を区分する。
【０１００】
選択可能に、前記システム情報領域またはネットワーク領域は、１つまたは複数のサイトからなり、各ＩＡＳ信号は、１つのサイトまたはサイト群から送信される。
【０１０１】
本実施例において、複数のＩＡＳ信号（例えばセルの同期、時間領域／周波数領域の同期、セルのシステム情報受信などの機能を有する）によってシステムの帯域幅および／またはサブフレームの境界を取得することができる。よって、システムアクセスの柔軟性と容量を向上させ、将来のマルチアンテナシステムのニーズを満たす。
【０１０２】
一部実施例において、図１１に示すシステム情報領域またはネットワーク領域のアクセス装置は、メモリ１１０５からプログラムを読み取ることによって、システム情報領域またはネットワーク領域から送信される１つまたは複数の初期アクセス信号ＩＡＳを受信するプロセスと、受信したＩＡＳ信号に基づいて、システム情報領域またはネットワーク領域のサブフレームの境界、システムの帯域幅、開始周波数および停止周波数のうちの１つまたは複数を取得するプロセスを実行することに用いられる第１プロセッサ１１０４と、第１プロセッサ１１０４の制御の下でデータを送受信することに用いられる第１トランシーバ１１０１を含む。
【０１０３】
図１１において、バスアーキテクチャ（第１バス１１００で示す）は、任意数の相互接続するバスとブリッジを含む。第１バス１１００は、第１プロセッサ１１０４をはじめとする１つ又は複数のプロセッサと第１メモリ１１０５をはじめとするメモリを含む各種類の回路を接続する。第１バス１１００は、さらに周辺機器、レギュレーター、電力管理回路などの各種類のほかの回路を接続してもよい。これらは、いずれも本分野の公知事項であるため、本文においてさらなる記載をしない。第１バスインタフェース１１０３により、第１バス１１００と第１トランシーバ１１０１の間にインタフェース提供する。第１トランシーバ１１０１は、１つの部品であってもよく、複数の部品であってもよく、例えば複数の送信機と受信機を含み、伝送媒体でほかの各種類の装置と通信するユニットとして提供される。第１プロセッサ１１０４によって処理されたデータは、アンテナ１１０２を介して無線媒体で伝送される。さらに、アンテナ１１０２は、データも受信してデータを第１プロセッサ１２０４に送信する。
【０１０４】
第１プロセッサ１１０４は、第１バス１１００と通常の処理を管理し、タイミング、周辺機器とのインタフェース、電圧調節、電源管理および他の制御機能など、各種類の機能も提供する。第１メモリ１１０５は、第１プロセッサ１１０４による操作実行に用いられるデータの記憶に用いられる。
【０１０５】
選択可能に、第１プロセッサ１１０４は、ＣＰＵ、ＡＳＩＣ、ＦＰＧＡまたはＣＰＬＤである。
【０１０６】
選択可能に、第１プロセッサ１１０４は、サブフレームにおけるＩＡＳ信号の所定の送信位置に基づいて、システム情報領域またはネットワーク領域のサブフレームの境界を取得すること、または、ＩＡＳ信号とシステムの帯域幅との所定のマッピング関係に基づいて、システム情報領域またはネットワーク領域のシステムの帯域幅、開始周波数および／または停止周波数を取得すること、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【０１０７】
選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【０１０８】
選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【０１０９】
選択可能に、時分割多重化、周波数分割多重化および符号分割多重化のうちの１つまたは複数の組み合わせによって、複数のＩＡＳ信号を区分する。
【０１１０】
選択可能に、前記システム情報領域またはネットワーク領域は、１つまたは複数のサイトからなり、各ＩＡＳ信号は、１つのサイトまたはサイト群から送信される。
【０１１１】
一部実施例において、図１２に示すシステム情報領域またはネットワーク領域のアクセス装置は、第２メモリ１２０５からプログラムを読み取ることによって、１つまたは複数の初期アクセス信号ＩＡＳを特定するプロセスと、前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数のＩＡＳを送信するプロセスを実行することに用いられる第２プロセッサ１２０４と、第２プロセッサ１２０４の制御の下でデータの送受信に用いられる第２トランシーバ１２０１とを含む。
【０１１２】
図１２において、バスアーキテクチャ（第２バス１２００で示す）は、任意数の相互接続するバスとブリッジを含む。第２バス１２００は、第２プロセッサ１２０４をはじめとする１つ又は複数のプロセッサと第２メモリ１２０５をはじめとするメモリを含む各種類の回路を接続する。第２バス１２００は、さらに周辺機器、レギュレーター、電力管理回路などの各種類のほかの回路を接続してもよい。これらは、いずれも本分野の公知事項であるため、本文においてさらなる記載をしない。第２バスインタフェース１２０３により、第２バス１２００と第２トランシーバ１２０１の間にインタフェース提供する。第２トランシーバ１２０１は、１つの部品であってもよく、複数の部品であってもよく、例えば複数の送信機と受信機を含み、伝送媒体でほかの各種類の装置と通信するユニットとして提供される。第２プロセッサ１２０４によって処理されたデータは、アンテナ１２０２を介して無線媒体で伝送される。さらに、アンテナ１２０２は、データも受信してデータを第２プロセッサ１２０４に送信する。
【０１１３】
第２プロセッサ１２０４は、第２バス１２００と通常の処理を管理し、タイミング、周辺機器とのインタフェース、電圧調節、電源管理および他の制御機能など、各種類の機能も提供する。第２メモリ１２０５は、第２プロセッサ１２０４による操作実行に用いられるデータの記憶に用いられる。
【０１１４】
選択可能に、第２プロセッサ１２０４は、ＣＰＵ、ＡＳＩＣ、ＦＰＧＡまたはＣＰＬＤである。
【０１１５】
選択可能に、第２プロセッサ１２０４は、１つまたは複数のＩＡＳを送信する。よって、前記ＩＡＳ信号を受信した端末は、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得する。
【０１１６】
選択可能に、前記システム情報領域またはネットワーク領域から１つのＩＡＳ信号が送信される場合、１つのＩＡＳ信号は、システム情報領域またはネットワーク領域が占める帯域内の任意の周波数位置から送信され、かつ、サブフレームにおける１つのＩＡＳ信号の送信位置は、システム情報領域またはネットワーク領域とユーザによって予め取り決められる。または、１つのＩＡＳ信号は、システム情報領域またはネットワーク領域が占める帯域のうち、予め定義される周波数位置から送信され、かつ、サブフレームにおける１つのＩＡＳ信号の送信位置は、システム情報領域またはネットワーク領域とユーザによって予め取り決められる。
【０１１７】
選択可能に、前記システム情報領域またはネットワーク領域から複数のＩＡＳ信号が送信される場合、複数のＩＡＳ信号の各々は、システム情報領域またはネットワーク領域が占める帯域内の任意の周波数位置から送信され、かつ、サブフレームにおける複数のＩＡＳ信号の送信位置は、システム情報領域またはネットワーク領域とユーザによって予め取り決められる。または、複数のＩＡＳ信号は、システム情報領域またはネットワーク領域が占める帯域のうち、複数の予め定義される周波数位置から送信され、かつ、サブフレームにおける複数のＩＡＳ信号の送信位置は、システム情報領域またはネットワーク領域とユーザによって予め取り決められる。
【０１１８】
選択可能に、時間分割多重化、周波数分割多重化および符号分割多重化のうちの１つまたは複数の組み合わせによって、前記複数のＩＡＳ信号を区分する。選択可能に、前記システム情報領域またはネットワーク領域は、１つまたは複数のサイトからなり、各ＩＡＳ信号は、１つのサイトまたはサイト群から送信される。
【０１１９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み合わせられることができる。
【０１２０】
本発明の各実施例において、上記各プロセスの番号の大きさは、実行順の前後を意味しない。各プロセスの実行順は、その機能および内在的な論理によって確定されるものであり、本発明の実施例の実施プロセスに対しいっさい限定を構成しないと理解すべきである。
【０１２１】
また、本明細書において、「システム」と「ネットワーク」は、常に互換して使用することができる。
【０１２２】
本明細書において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本明細書において、「／」の記号は、通常、前後の関連対象が「または」の関係であることを示す。
【０１２３】
本願で提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１２４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１２５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１２６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１２７】
以上記載されたのは、本開示の好ましい実施形態である。なお、当業者は、本開示に記載されている原理を逸脱せずに様々な改良や修飾をすることもできる。これらの改良や修飾も、本開示の保護範囲内に含まれる。
【図１】
2019522943.tif 000003
【図２】
2019522943.tif 000004
【図３】
2019522943.tif 000005
【図４】
2019522943.tif 000006
【図５】
2019522943.tif 000007
【図６】
2019522943.tif 000008
【図７】
2019522943.tif 000009
【図８】
2019522943.tif 000010
【図９】
2019522943.tif 000011
【図１０】
2019522943.tif 000012
【図１１】
2019522943.tif 000013
【図１２】
2019522943.tif 000014
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
端末が、システム情報領域またはネットワーク領域から送信される１つまたは複数の初期アクセス信号ＩＡＳを受信することと、
前記端末が、受信したＩＡＳ信号に基づいて、システム情報領域またはネットワーク領域のサブフレームの境界、システムの帯域幅、開始周波数および停止周波数のうちの１つまたは複数を取得することとを含むシステム情報領域またはネットワーク領域のアクセス方法。
【請求項２】
前記端末が、受信したＩＡＳ信号に基づいて、システム情報領域またはネットワーク領域のサブフレームの境界、システムの帯域幅、開始周波数および停止周波数のうちの１つまたは複数を取得することは、
前記端末が、サブフレームにおけるＩＡＳ信号の所定の送信位置に基づいて、システム情報領域またはネットワーク領域のサブフレームの境界を取得すること、または、
前記端末が、ＩＡＳ信号とシステムの帯域幅との所定のマッピング関係に基づいて、システム情報領域またはネットワーク領域のシステムの帯域幅、開始周波数および／または停止周波数を取得すること、または、
前記端末が、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することを含む請求項１に記載のアクセス方法。
【請求項３】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項１に記載のアクセス方法。
【請求項４】
時分割多重化、周波数分割多重化および符号分割多重化のうちの１つまたは複数の組み合わせによって、前記複数のＩＡＳ信号を区分する請求項１に記載のアクセス方法。
【請求項５】
前記システム情報領域またはネットワーク領域は、１つまたは複数のサイトからなり、各ＩＡＳ信号は、１つのサイトまたはサイト群から送信される請求項１に記載のアクセス方法。
【請求項６】
システム情報領域またはネットワーク領域で１つまたは複数の初期アクセス信号ＩＡＳを特定することと、
ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することとを含むシステム情報領域またはネットワーク領域のアクセス方法。
【請求項７】
前記ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、前記システム情報領域またはネットワーク領域から１つまたは複数のＩＡＳを送信することは、
前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、
前記システム情報領域またはネットワーク領域から１つまたは複数のＩＡＳを送信することを含む請求項６に記載のアクセス方法。
【請求項８】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項６に記載のアクセス方法。
【請求項９】
システム情報領域またはネットワーク領域から送信される１つまたは複数の初期アクセス信号ＩＡＳを受信することに用いられる受信モジュールと、
受信したＩＡＳ信号に基づいて、システム情報領域またはネットワーク領域のサブフレームの境界、システムの帯域幅、開始周波数および停止周波数のうちの１つまたは複数を取得することに用いられる取得モジュールとを含むシステム情報領域またはネットワーク領域のアクセス装置。
【請求項１０】
前記取得モジュールは、さらに、
サブフレームにおけるＩＡＳ信号の所定の送信位置に基づいて、システム情報領域またはネットワーク領域のサブフレームの境界を取得すること、または、
ＩＡＳ信号とシステムの帯域幅との所定のマッピング関係に基づいて、システム情報領域またはネットワーク領域のシステムの帯域幅、開始周波数および／または停止周波数を取得すること、または、
ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得することに用いられる請求項９に記載のアクセス装置。
【請求項１１】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項９に記載のアクセス装置。
【請求項１２】
１つまたは複数の初期アクセス信号ＩＡＳを特定することに用いられる特定モジュールと、
ＩＡＳ信号を受信した端末が、受信したＩＡＳ信号に基づいて、システム情報領域またはネットワーク領域のサブフレームの境界、システムの帯域幅、開始周波数および停止周波数のうちの１つまたは複数を取得するよう、１つまたは複数のＩＡＳを送信することに用いられる送信モジュールとを含むシステム情報領域またはネットワーク領域のアクセス装置。
【請求項１３】
前記送信モジュールは、さらに、
前記ＩＡＳ信号を受信した端末が、サブフレームにおけるＩＡＳ信号の所定の送信位置に基づいて、システム情報領域またはネットワーク領域のサブフレームの境界を取得し、または、ＩＡＳ信号とシステムの帯域幅との所定のマッピング関係に基づいて、システム情報領域またはネットワーク領域のシステムの帯域幅、開始周波数および／または停止周波数を取得し、または、ＩＡＳ信号と、システム情報領域またはネットワーク領域のシステムの帯域幅、開始周波数および／または停止周波数が含まれる他の信号との所定の時間周波数関係に基づいて、ＩＡＳ信号に対応する他の信号を復調してシステム情報領域またはネットワーク領域のシステムの帯域幅、開始周波数および／または停止周波数を取得するよう、
１つまたは複数のＩＡＳを送信することに用いられる請求項１２に記載のアクセス装置。
【請求項１４】
前記ＩＡＳ信号は、システム情報領域またはネットワーク領域が占める帯域内の任意の周波数位置または予め定義される周波数位置から送信され、かつ、サブフレームにおける前記ＩＡＳ信号の送信位置は、システム情報領域またはネットワーク領域とユーザによって予め取り決められる請求項１２に記載のアクセス装置。
【国際調査報告】
2019522943.tif 000015
2019522943.tif 000016
2019522943.tif 000017
2019522943.tif 000018